(57)【要約】【課題】本考案の目的は、複数の分析装置間において試薬情報を共有化することで、一貫した試薬情報の管理を行うことである。【解決手段】試薬を収容する試薬容器と該試薬をセットする試薬ディスクあるいは試薬保冷庫を備えた自動分析装置において、該試薬容器に記憶媒体と、該記憶媒体からの情報を読み取る読み取り部を備え、該試薬の使用開始からの試薬消費量、経過時間などの使用状況を該記憶媒体に記憶し、該試薬容器を他の該試薬をセットする試薬ディスクあるいは試薬保冷庫に移動したときに試薬情報を共有することを特徴とする自動分析装置。【選択図】図２
0003127156.tif 000002
【実用新案登録請求の範囲】
【請求項１】
試薬を収容する試薬容器と該試薬をセットする試薬容器保持部を備えた自動分析装置において、
前記試薬容器に設けられ試薬の使用開始からの使用状況に関する情報を記憶する記憶媒体と、
該記憶媒体からの情報を読み取る読取部と、
を備え、前記読取部が読み取った前記記憶媒体からの情報を、該情報を読み取った読取部が設けられた自動分析装置以外の自動分析装置に送る情報送信手段と、
を備えたことを特徴とする自動分析装置。
【請求項２】
請求項１記載の自動分析装置において、
試薬容器に収容された試薬のキャリブレーション結果をもあわせて前記記憶媒体に記憶し、
該試薬容器を他の自動分析装置の試薬容器保持部にセットした際に該自動分析装置で実施したキャリブレーション結果と、該記憶媒体に記憶されたキャリブレーション結果を比較判定する手段を備えたことを特徴とする自動分析装置。
【請求項３】
請求項１または２記載の自動分析装置において、
前記記憶媒体は非接触で情報の読み書きが可能な半導体記憶素子であることを特徴とする自動分析装置。
【考案の詳細な説明】
【技術分野】
【０００１】
本考案は、血液、尿等の生体試料の自動分析装置に関する。
【背景技術】
【０００２】
自動分析装置は、目的物質に含まれる多成分を迅速に、かつ、高精度で分析処理することができるため、生化学検査はもちろんのこと、免疫血清学検査、製薬関連における研究機関での毒物試験など様々な分野での検査に用いられている。特に病院での使用は、分析対象とする検体が患者の血液や尿の如き生体液試料であり、その分析結果が疾病の診断や治療方針を決定するが故に、分析装置の信頼性および迅速性が常に求められている。
【０００３】
自動分析装置における試薬管理は、試薬残量の管理、開封後の有効日数の管理、有効期限の管理および試薬のロット管理等を行っている。
【０００４】
試薬残量の管理は、試薬プローブで試薬ボトルに充填した液量を検知して残量の管理を行い、オペレータが試薬管理画面等で手入力して管理を行っている。また、開封後の有効日数は試薬にバーコード等を貼り付け、いつ装置にセットされたのかを装置が管理している。しかしながら、複数の分析ユニットを持つ装置や、複数台の装置で同一の試薬ボトルを共有できる場合、試薬管理を行っても別の分析ユニットあるいは装置へ試薬をセットすると改めて試薬残量や開封後の有効日数を管理し始めるため、試薬ボトルへの継ぎ足しによるデータ不良や試薬劣化等の事故を招くことになる。そこで、特許文献１では、同一分析装置間の分析ユニットで共通管理する方法や違う分析装置間では通信回線を利用して共通管理する方法が記載されている。
【０００５】
【特許文献１】特開２００３−３１５３４５号公報
【考案の開示】
【考案が解決しようとする課題】
【０００６】
しかし、通信回線を利用できるユーザばかりではないため、従来装置では試薬情報の管理を行うことはできなかった。
【０００７】
本考案の目的は、複数の分析装置間において試薬情報を共有化することで、一貫した試薬情報の管理を行うものである。
【課題を解決するための手段】
【０００８】
上記目的を達成するための本考案の構成は以下の通りである。
（１）試薬を収容する試薬容器と該試薬をセットする試薬ディスクあるいは試薬保冷庫を備えた自動分析装置において、
該試薬容器に記憶媒体と、該記憶媒体からの情報を読み取る読み取り部を備え、該試薬の使用開始からの試薬消費量、経過時間などの使用状況を該記憶媒体に記憶し、該試薬容器を他の該試薬をセットする試薬ディスクあるいは試薬保冷庫に移動したときに試薬情報を共有することを特徴とする自動分析装置における試薬管理方法。
（２）（１）において、該試薬容器でのキャリブレーション結果および精度管理試料の測定結果を該記憶媒体に記憶し、該試薬容器を他の該試薬をセットする試薬ディスクあるいは試薬保冷庫に移動して実施したキャリブレーション結果および精度管理試料の測定結果と比較判定することを特徴とする自動分析装置における試薬管理方法。
【考案の効果】
【０００９】
本考案によれば、複数の分析装置間において試薬情報を共有化することで、一貫した試薬情報の管理を行うことができる。
【考案を実施するための最良の形態】
【００１０】
以下、図１〜図３を用いて、本考案の一実施形態による自動分析システムの構成及び動作について説明する。最初に、図１を用いて、本実施形態による自動分析装置の全体構成について説明する。
【００１１】
図１の分析装置は複数のサンプルカップ１が架設できるサンプルディスク２、試料を所定量採取するサンプルプローブ３を備えたサンプリング機構４、複数の試薬分注を行なう試薬ピペッティング機構５ａ、５ｂおよび試薬ディスク６ａ、６ｂ、複数の直接測光用反応容器７を保持した反応ディスク８、攪拌機構９ａ、９ｂ、反応容器洗浄機構１０、光度計１１、機構系全体の制御を行なわせるための中央処理装置（マイクロコンピュータ）１２などを主要に構成されている。複数の反応容器を保持した反応ディスク８は、１サイクル毎に半回転＋１反応容器を回転させ一時停止する動作の制御が行われる。すなわち１サイクル毎の停止時に反応ディスク８の反応容器７は反時計方向に１反応容器分ずつに進行した形で停止する。光度計１１は複数の検知器を有する多波長光度計が用いられており、光源ランプ１３と相対し反応ディスク８が回転状態にあるとき反応容器７の列が光源ランプ１３からの光束１４を通過するように構成されている。光束１４の位置と試料吐出位置１５の間には反応容器洗浄機構１０が配備されている。さらに波長を選択するマルチプレクサ１６、対数変換増幅器１７、Ａ／Ｄ変換器１８、プリンタ１９、ＣＲＴ２０、試薬分注機構駆動回路２１などから構成され、これらはいずれもインターフェース２２を経て中央処理装置１２に接続されている。この中央処理装置は機構系全体の制御を含めた装置全体の制御と濃度あるいは酵素活性値演算などのデータ処理も行なう。上記の構成における動作原理を以下に説明する。操作パネル２３にあるスタートスイッチを押すと反応容器洗浄機構１０により反応容器７の洗浄が開始され、さらに水ブランクの測定が行なわれる。この値は反応容器７で以後測定される吸光度の基準となる。反応ディスク８の１サイクルの動作、すなわち反回転＋１反応容器をさせて一時停止する動作の繰り返しにより試料吐出位置１５まで進むと、サンプルカップ１はサンプリング位置に移動する。同様に２つの試薬ディスク６ａ、６ｂも試薬ピペッティング位置に移動する。この間にサンプリング機構４が動作し、サンプルカップ１から、例えば分析項目Ａの試料量をサンプルプローブ３で吸引しその後、反応容器７に吐出する。一方試薬ピペッティング機構はサンプリング機構が反応容器７に試料の吐出を行なっているとき、試薬ピペッティング機構５ａが動作を開始し試薬ディスク６ａに架設した分析項目Ａの第一試薬を試薬プローブ２４ａによって吸引する。ついで試薬プローブ２４ａは反応容器７上に移動して吸引した試薬を吐出した後、プローブ洗浄槽でプローブの内壁と外壁が洗浄され、次の分析項目Ｂの第一試薬分注に備える。第一試薬添加後に測光が開始される。測光は反応ディスク８の回転時、反応容器７が光束１４を横切ったときに行われる。第一試薬が添加されてから反応ディスクが２回転＋２反応容器分回転すると攪拌機構８ａが作動して試料と試薬を攪拌する。反応容器７が試料分注位置から２５回転＋２５反応容器分回転した位置、すなわち第二試薬分注位置まで進むと第二試薬が試薬プローブ２４ｂから添加されその後攪拌機構８ｂにより攪拌が行われる。反応ディスク８によって反応容器７は次々と光束１４を横切りそのつど吸光度が測定される。これらの吸光度は１０分の反応時間において計３４回の測光が行われる。測光を終えた反応容器７は反応容器洗浄機構１０より洗浄され次の試料の分析に備える。測定した吸光度は中央処理装置１２で濃度あるいは酵素活性値に換算されプリンタ１９から分析結果が出力される。
【００１２】
次に、図１の分析装置に適用した本考案の実施例の一つを説明する。
【００１３】
試薬ディスク６ａ、６ｂには、バーコードリーダが備え付けられ、試薬ボトルのバーコード情報を読み取る。バーコードラベルは試薬ボトルの外周側上面や側面に貼り付けられている。なお、上記コードラベルとしては、一次元のコードラベルあるいは二次元のコードラベルの何れを用いてもよい。上記バーコードラベルには、項目名、試薬のタイプ、ロット番号、有効期限の試薬ボトル固定の情報が入っていて、操作者あるいは装置からの指示で試薬バーコード読み取り終了後、試薬バーコード試薬の管理情報を表示する画面で情報を表示する。また、上記試薬管理情報画面には、試薬が装置にセットされてからの有効日数（試薬ボトル開封後の有効日数）も表示される。
【００１４】
本考案の実施例では、試薬ボトルには、さらに記憶媒体が試薬ボトル外周側上面あるいは側面等に備えられ、かつ、試薬ディスクには、試薬ボトルの記憶媒体から情報を読み取るあるいは記憶媒体に情報を書き込むリーダ／ライター装置が備えられている。
【００１５】
まず、操作者が新規の試薬ボトルを試薬ディスクにセットし、試薬ボトルの情報を読み取らせると、試薬バーコードの情報から、項目名、試薬のタイプ、ロット番号、有効期限の情報を読み取り、装置に記憶する。このとき、記憶媒体には、試薬をセットした日付時刻が書き込まれる。その後、操作者によりキャリブレーション（検量線の作成）を行うが、記憶媒体には、試薬の使用テスト回数、キャリブレーション時の吸光度情報、かつ標準液のロット番号や濃度等の情報も書き込まれる。吸光度情報は、キャリブレーションを実施するたびに、最新の情報が書き込まれるようにしておく。キャリブレーション実施後、患者検体の測定が行われ、その都度、試薬ボトルの記憶媒体には、試薬の使用テスト回数が記憶される。このとき、装置の試薬管理情報画面では、項目名、試薬をセットしたポジション、試薬の残量あるいは残使用テスト数、有効期限等の情報が参照できるようになっている。
【００１６】
続いて、上記試薬ボトルを操作者が別の装置の試薬ディスクにセットした場合には、試薬ボトルの情報を読み取らせると、試薬バーコードの情報から、項目名、試薬のタイプ、ロット番号、有効期限の情報を読み取り、装置に記憶する。さらに、記憶媒体に書き込まれた情報である試薬をセットした日付時刻、試薬の使用テスト回数の情報が読み取られ、装置に書き込まれる。試薬情報管理画面では、記憶媒体から情報を元に、開封後の有効日数、試薬残量あるいは残テスト回数が表示される。その後、操作者により、キャリブレーションが行われるが、得られた吸光度や測定感度（単位濃度あたりの吸光度変化）等と記憶媒体に書き込まれている吸光度や測定感度（単位濃度あたりの吸光度変化）等と比較判定し、許容範囲から外れた場合には警告をだす。
【００１７】
許容範囲は、操作者により設定画面で設定するようにしておく。
【００１８】
ここまでの流れを図２のフローチャートで説明する。まず、操作者の指示により、試薬バーコードの読み取りが行なわれ（Ｓ１）、次に使用を開始している試薬ボトルなのか、新たに追加した試薬ボトルなのか判定を行う（Ｓ２）。この判定で、使用開始している試薬ボトルであれば、記憶媒体から情報を読み取り（Ｓ４）、装置に記憶する（Ｓ５）。また、新たに追加した新規の試薬ボトルであれば、読み取り時の日付時刻が記憶媒体に書き込まれ（Ｓ３）、装置に記憶する（Ｓ５）。装置に記憶した情報は試薬管理画面で情報が表示される（Ｓ６）。続いて、操作者の指示によりキャリブレーション、精度管理試料および患者検体等検体の測定が開始され（Ｓ７）、その都度記憶媒体には、試薬の使用テスト回数の情報が書き込まれる（Ｓ８）。
【００１９】
続いて、キャリブレーションを実施したときのチェックの流れを図３のフローチャートで説明する。まず、操作者の指示により、キャリブレーションが行なわれ（Ｓ１１）、結果出力後、得られた吸光度や測定感度（単位濃度あたりの吸光度変化）等と記憶媒体に書き込まれている吸光度や測定感度（単位濃度あたりの吸光度変化）等と比較判定を行い（Ｓ１２）、許容範囲から外れた場合には、異常であることの表示（Ｓ１３）、および警告（Ｓ１４）をだす。次に、許容範囲内であれば、記憶媒体にキャリブレーション結果を書き込む（Ｓ１５）。
【００２０】
以上により、複数の分析ユニットを持つ装置や複数の分析装置間において試薬情報を共有化することができ、一貫した試薬情報の管理を行うことができる。
【図面の簡単な説明】
【００２１】
【図１】本考案を適用した自動分析装置の概略構成を示す図。
【図２】本考案における請求項１の操作フローの一例を示す図（請求項１）。
【図３】本考案における請求項１の操作フローの一例を示す図（請求項２）。
【符号の説明】
【００２２】
１…サンプルカップ、２…サンプルディスク、３…サンプルプローブ、４…サンプリング機構、５…試薬ピペッティング機構、６…試薬ディスク、７…直接測光用反応容器、８…反応容器、９…攪拌機構、１０…反応容器洗浄機構、１１…光度計、１２…中央処理装置、１３…光源ランプ、１４…光束、１５…試料吐出位置、１６…マルチプレクサ、１７…対数変換増幅器、１８…Ａ／Ｄ変換器、１９…プリンタ、２０…ＣＲＴ、２１…試薬分注機構駆動回路、２２…インターフェース、２３…操作パネル、２４ａ…第一試薬プローブ、２４ｂ…第二試薬プローブ。
【図１】
0003127156.tif 000003
【図２】
0003127156.tif 000004
【図３】
0003127156.tif 000005